(57)【要約】【課題】使い勝手の良い空気噴出装置を提供する。【解決手段】塵埃を吸引又は吹き飛ばし用の吸引・噴出口２と、吸引力で回転する吸引ファン５を有する吸引室６と、吸引ファン５と連動すると共に噴出力を発生する噴出ファン９を有する噴出室１０と、吸引ファン５および噴出ファン９と連動して動作して発電する発電手段１１と、吸引・噴出口２からの空気の吸引または噴出を切替える為の切替器１２と、切替器１２を動作させる為の駆動手段１３と、駆動手段１３を制御する制御手段１４と、切替器１２を駆動させる為の信号を発生する操作手段１６と、発電手段１１と操作手段１６を電気的に接続する電源信号供給手段１７を有し、発電手段１１により発電した電力を駆動手段１３、制御手段および操作手段１６の電源として使用するもので、操作手段１６で、吸引・噴出口２からの吸引力及び噴出力の調整を容易に行うことができる。【選択図】図１
2013223623.tif 000002
【特許請求の範囲】
【請求項１】
塵埃を吸引又は吹き飛ばす為の吸引・噴出口と、電気掃除機の吸引力が作用する吸引室と、空気を噴出する機能を有する噴出室と、前記吸引室に配され前記吸引力により動作する吸引ファンと、前記吸引ファンと連動すると共に前記噴出室に配され噴出力を発生する噴出ファンと、前記吸引ファンを回転させる為に外気を取り込むための空気取込口と、前記吸引ファンおよび前記噴出ファンと連動して動作して発電する発電手段と、前記吸引・噴出口からの空気の吸引または噴出を切替える為の切替器と、前記切替器を動作させる為の駆動手段と、前記駆動手段を動作させる為の制御手段と、前記切替器を駆動させる為の信号を発生する操作手段と、前記発電手段と前記操作手段を電気的に接続する為の接続手段を有し、前記発電手段により発電した電力を前記駆動手段、前記制御手段および前記操作手段の電源として使用することを特徴とした空気噴出装置。
【請求項２】
発電手段によって発電された電力を蓄電する蓄電手段を有し、駆動手段が動作していないときは、前記発電手段によって発電された電力を操作手段および制御手段の電源として使用するとともに発電された電力の一部を前記蓄電手段に蓄電し、前記操作手段を操作し前記駆動手段を動作させるときは、前記蓄電手段に蓄電された電力を前記駆動手段の駆動用に使用する請求項１に記載の空気噴出装置。
【請求項３】
駆動手段が動作するとき、前記駆動手段には発電手段と蓄電手段の両方から電力を供給し、前記駆動手段が動作を開始してから所定時間経過した後、前記蓄電手段からの電力供給を止めて前記発電手段から供給される電力のみで前記駆動手段を動作させるようにした請求項２に記載の空気噴出装置。
【請求項４】
蓄電手段から駆動手段への電力供給終了後すぐに、発電手段で発電される電力を再び前記蓄電手段に蓄電するようにした請求項２に記載の空気噴出装置。
【請求項５】
蓄電手段の充電容量を検出し、所定の容量以下の場合に操作手段への電力供給を減少させて、前記蓄電手段への蓄電量を増加させるようにした請求項２に記載の空気噴出装置。
【請求項６】
電動送風機と集塵室を内蔵した掃除機本体と、一端が前記掃除機本体に接続されるホースと、一端が前記ホースの他端に接続される延長管と、前記延長管の他端に接続され塵埃を吸引する吸込口体と、請求項１〜５のいずれか１項に記載の空気噴出装置を備え、前記空気噴出装置を、前記ホース又は／及び前記延長管の端部に着脱自在とした電気掃除機。
【発明の詳細な説明】
【技術分野】
【０００１】
本発明は、空気を噴出することにより塵埃を吹き飛ばす空気噴出装置及びそれを用いた電気掃除機に関するものである。
【背景技術】
【０００２】
塵埃を吹き飛ばす機能（以下、「噴出機能」と称す）を備えた従来の技術の代表例は電気掃除機の排気を噴出に利用した形態が挙げられる。
【０００３】
図８は、従来の噴出機能を備えた電気掃除機の全体図、図９は、同電気掃除機の通常使用時の横断面図、図１０は、同電気掃除機の噴出機能使用時の横断面図である。
【０００４】
図８において、従来の電気掃除機の掃除機本体５０は、本体制御手段４９と、電動送風機５７と、集塵室５８を内蔵している。接続口５１は、集塵室５８に連通すると共に、ホース５３の一端に配した接続パイプ５２が接続される。吸込口体５６は、ホース５３の他端に配した手元操作部５４もしくは延長管５５を介して集塵室５８と連通接続される。図９において、電動送風機支持壁５９は、上下２分割構成をとることで電動送風機５７の後端を軟質ゴム６０を介して挟持する。
【０００５】
掃除機本体５０の後部に、電動送風機５７から排出される気流６２を掃除機本体５０の外部へ排出する排気口６１が設けられ、電動送風機５７と排気口６１を連通する排気通路６３は、電動送風機支持壁５９と隔離壁６４とで閉ざされた空間を形成する。
【０００６】
さらに掃除機本体５０の後部に、回動軸６６により開閉自在な開閉蓋体６５が設けられ、その開閉蓋体６５の凸部６７は、接続パイプ５２を連通接続できる構成となっている連結口６８にはまり込む構成をとると共に、接続パイプ５２を連通接続した際には、図１０に示すように、電動送風機支持壁５９と当接し排気通路６３を遮断する構成をとっている。
【０００７】
以上のように構成された従来の電気掃除機において、図９に示すように、通常使用時には接続口５１から吸引された気流６２は、電動送風機５７から排気通路６３を経て排気口６１から排出される。なお、この時、開閉蓋体６５は閉じた状態にあり、開閉蓋体６５の凸部６７が連結口６８にはまり込むことで外部からの空気の流入を防止している。
【０００８】
一方、図１０に示すように、噴出機能使用時には、接続パイプ５２を連結口６８に連通接続すれば開閉蓋体６５が回動し電動送風機支持壁５９と当接する位置で停止することで排気通路６３を遮断するため、接続口５１から吸引された気流６２は、電動送風機５７から排気通路６３の途中まで経て連結口６８さらにはホース５３や延長管５５を経て外部へ噴出される。
【０００９】
また、ホース５３を通常使用時と同じように掃除機本体５０に接続して（図８参照）、そのホース５３の他端にある手元操作部５４の先あるいは延長管５５の先端に接続して、吸気を利用して吸引ファンを回転させ、その動力で噴出ファンをまわすことで、別の空気取り入れ口から吸入した空気を噴出させる空気噴出装置も提案されていた（例えば、特許文献１参照）。
【先行技術文献】
【特許文献】
【００１０】
【特許文献１】特開２０００−２１７７４６号公報
【発明の概要】
【発明が解決しようとする課題】
【００１１】
しかしながら、上記従来例の様な電気掃除機の排気を噴出に利用した形態では、実際はクリーンな排気であっても、塵埃を吸引した排気を利用するという面で、不衛生なイメージを抱かれたり、従来例の様な塵埃の吸引に使用しているホース５３や延長管５５等を利用する形態の物では、吸引経路に付着した微量な塵埃が噴出する恐れがあるなど、衛生面で懸念されて利用機会が減り、近年はこの形態での噴出機能つきの電気掃除機は少なくなっている。
【００１２】
また、上記従来の電気掃除機や、上記特許文献１に開示されたような空気噴出装置では、噴出機能のみで吸引を行う機能が無い為非常に使い勝手が悪い、という課題があった。
【００１３】
本発明は、上記従来の課題を解決しようとするものであって、衛生的な噴出機能および吸引機能を持ち、手元操作部だけで噴出、吸引の切替を行うことができるようになり、なおかつ必要に応じて噴出・吸引する空気量を調整することができるようにした、非常に使い勝手のよい空気噴出装置及びそれを用いた電気掃除機を提供することを目的としている。
【課題を解決するための手段】
【００１４】
上記従来の課題を解決するために本発明の空気噴出装置は、塵埃を吸引又は吹き飛ばす為の吸引・噴出口と、電気掃除機の吸引力が作用する吸引室と、空気を噴出する機能を有する噴出室と、前記吸引室に配され前記吸引力により動作する吸引ファンと、前記吸引ファンと連動すると共に前記噴出室に配され噴出力を発生する噴出ファンと、前記吸引ファンを回転させる為に外気を取り込むための空気取込口と、前記吸引ファンおよび前記噴出ファンと連動して動作して発電する発電手段と、前記吸引・噴出口からの空気の吸引または噴出を切替える為の切替器と、前記切替器を動作させる為の駆動手段と、前記駆動手段を動作させる為の制御手段と、前記切替器を駆動させる為の信号を発生する操作手段と、前記発電手段と前記操作手段を電気的に接続する為の接続手段を有し、前記発電手段により発電した電力を前記駆動手段、前記制御手段および前記操作手段の電源として使用するもので、前記操作手段で、吸引・噴出口からの吸引力及び噴出力の調整を容易に行うことができる。
【００１５】
また本発明の電気掃除機は、電動送風機と集塵室を内蔵した掃除機本体と、一端が前記掃除機本体に接続されるホースと、一端が前記ホースの他端に接続される延長管と、前記延長管の他端に接続され塵埃を吸引する吸込口体と、請求項１〜５のいずれか１項に記載の空気噴出装置を備え、前記空気噴出装置を、前記ホース又は／及び前記延長管の端部に着脱自在としたもので、非常に使用勝手が良い電気掃除機を提供することが出来る。
【発明の効果】
【００１６】
本発明の空気噴出装置及びそれを用いた電気掃除機は、外部からの電源供給なしで、吸引・噴出の切替および吸引・噴出する空気量を使用者が手元操作部だけで選定が安定した状態で動作させることができるため、非常に使い勝手のよい空気噴出装置及びそれを用いた電気掃除機を提供することができる。
【図面の簡単な説明】
【００１７】
【図１】本発明の実施の形態１における空気噴出装置の略断面図
【図２】同空気噴出装置を操作するための操作手段を示す略図
【図３】同空気噴出装置の略断面図
【図４】同空気噴出装置の略断面図
【図５】同空気噴出装置のブロック図
【図６】（１）〜（３）本発明の実施の形態２における空気噴出装置の発電手段、蓄電手段、駆動手段の電力供給状況を示すタイミングチャート
【図７】（ａ）、（ｂ）同空気噴出装置の発電手段と操作手段、蓄電手段の電力供給状況を示すタイミングチャート
【図８】従来例を示す電気掃除機の全体図
【図９】同電気掃除機の通常使用時の横断面図
【図１０】同電気掃除機の噴出機能使用時の横断面図
【発明を実施するための形態】
【００１８】
第１の発明は、塵埃を吸引又は吹き飛ばす為の吸引・噴出口と、電気掃除機の吸引力が作用する吸引室と、空気を噴出する機能を有する噴出室と、前記吸引室に配され前記吸引力により動作する吸引ファンと、前記吸引ファンと連動すると共に前記噴出室に配され噴出力を発生する噴出ファンと、前記吸引ファンを回転させる為に外気を取り込むための空気取込口と、前記吸引ファンおよび前記噴出ファンと連動して動作して発電する発電手段と、前記吸引・噴出口からの空気の吸引または噴出を切替える為の切替器と、前記切替器を動作させる為の駆動手段と、前記駆動手段を動作させる為の制御手段と、前記切替器を駆動させる為の信号を発生する操作手段と、前記発電手段と前記操作手段を電気的に接続する為の接続手段を有し、前記発電手段により発電した電力を前記駆動手段、前記制御手段および前記操作手段の電源として使用するもので、前記操作手段で、吸引・噴出口からの吸引力及び噴出力の調整を容易に行うことができる。
【００１９】
第２の発明は、特に、第１の発明の発電手段によって発電された電力を蓄電する蓄電手段を有し、駆動手段が動作していないときは、前記発電手段によって発電された電力を操作手段および制御手段の電源として使用するとともに発電された電力の一部を前記蓄電手段に蓄電し、前記操作手段を操作し前記駆動手段を動作させるときは、前記蓄電手段に蓄電された電力を前記駆動手段の駆動用に使用するもので、前記駆動手段を確実に動作させることができる。
【００２０】
第３の発明は、特に、第２の発明の駆動手段が動作するとき、前記駆動手段には発電手段と蓄電手段の両方から電力を供給し、前記駆動手段が動作を開始してから所定時間経過した後、前記蓄電手段からの電力供給を止めて前記発電手段から供給される電力のみで前記駆動手段を動作させるようにしたもので、動作開始時に大きな突入電流が流れる駆動手段でも確実に動作させることができる。
【００２１】
第４の発明は、特に、第２の発明の蓄電手段から駆動手段への電力供給終了後すぐに、発電手段で発電される電力を再び前記蓄電手段に蓄電するようにしたもので、効率よく又無駄なく発電手段で発電される電力を使うことができる。
【００２２】
第５の発明は、特に、第２の発明の蓄電手段の充電容量を検出し、所定の容量以下の場合に操作手段への電力供給を減少させて、前記蓄電手段への蓄電量を増加させるようにしたもので、蓄電手段が過放電するのを防止することができる。
【００２３】
第６の発明にかかる電気掃除機は、電動送風機と集塵室を内蔵した掃除機本体と、一端が前記掃除機本体に接続されるホースと、一端が前記ホースの他端に接続される延長管と、前記延長管の他端に接続され塵埃を吸引する吸込口体と、請求項１〜５のいずれか１項に記載の空気噴出装置を備え、前記空気噴出装置を、前記ホース又は／及び前記延長管の端部に着脱自在としたもので、非常に使用勝手が良い電気掃除機を提供することが出来る。
【００２４】
以下、本発明の実施の形態について、図面を参照しながら説明する。なお、この実施の形態によって本発明が限定されるものではない。
【００２５】
（実施の形態１）
図１は、本発明の実施の形態１における空気噴出装置の略断面図、図２は、同空気噴出装置を操作するための操作手段を示す略図、図３は、同空気噴出装置の略断面図、図４は、同空気噴出装置の略断面図、図５は、同空気噴出装置のブロック図である。なお、上記従来の電気掃除機と同一部分には同一符号を付与し、その説明を省略する。
【００２６】
図１において、本実施の形態における空気噴出装置１は、吸引・噴出口２と、排出口４と、内部に吸引ファン５を装備した吸引室６と、吸引ファン５を回転させる為に吸引室６内に外気を吸引する為の空気取込口７と、第２の空気取込口８と、内部に噴出ファン９を装備した噴出室１０と、吸引室６の底面に保持された発電手段１１を有し、その発電手段１１の軸（図示せず）は噴出ファン９と吸引ファン５に連結されている。
【００２７】
また、吸引ファン５と噴出ファン９は、シロッコ形のファンで形成し、排出口４は、吸引室６上の吸引ファン５の回転中心部に、第２の空気取込口８は、噴出室１０上の噴出ファン９の回転中心部にそれぞれ配されている。吸引・噴出口２と吸引室６または噴出室１０との連通を切り替えるための切替器１２がある。
【００２８】
切替器１２の近傍には、切替器１２を動作させる為の駆動手段１３があり、発電手段１１と駆動手段１３を制御するための制御手段１４が備えられている。接続部１５によりホース５３と接続を行い、ホース５３側の接続部１５近傍の使用者が操作を行いやすい場所に操作手段１６を配している。
【００２９】
また、発電手段１１と駆動手段１３、制御手段１４、操作手段１６を電気的に接続する接続手段として電源信号供給手段１７があり、更には、発電手段１１で発電した電力を蓄電するための蓄電手段１８を配している。
【００３０】
図２には、操作手段１６の一例を示す。この操作手段１６は、掃除機本体５０の運転を操作するための「強」スイッチ１６ａ、「中」スイッチ１６ｂ、「弱」スイッチ１６ｃ及び停止スイッチ１６ｄと、空気噴出装置１の動作を選択するための「噴出」スイッチ１６ｅ、「吸引」スイッチ１６ｆを備えている。
【００３１】
以上のように、「本体」側の「強」スイッチ１６ａ、「中」スイッチ１６ｂまたは「弱」スイッチ１６ｃにより掃除機本体５０内の電動送風機５７の入力を使用者が選択し、吸引・噴出側の「吸引」スイッチ１６ｆおよび「噴出」スイッチ１６ｅにより吸引・噴出を選択できるようになる。
【００３２】
以上のように構成された本実施の形態における空気噴出装置の動作を以下に説明する。
【００３３】
図１において空気噴出装置１を接続部１５を介してホース５３に接続すると、掃除機本体５０内の電動送風機５７の入力により発生している吸引風が空気噴出装置１内を通過する。その吸引風は、空気取込口７から排出口４にむかって空気の流れを発生させる為、空気取込口７と排出口４の間に配されている吸引ファン５に吸引風が当たることにより、吸引ファン５が回転することとなる。
【００３４】
吸引ファン５は、発電手段１１の軸を介して発電手段１１と噴出ファン９と接続された構成となっているため、吸引ファン５が回転している間は、発電手段１１も常に動作して
いる状態となり発電を行うことができる。ここで発電手段１１には、モータ（図示せず）等、回転するエネルギーを電力に変換するような素子があればなんでも使用することができる。
【００３５】
図５に示すように、発電手段１１によって発電された電力は、切替器１２を駆動するための駆動手段１３の電源とすることができる。駆動手段１３にはモータ（図示せず）を使用し、切替器１２と連結するためのベルト（図示せず）などから構成されているものなどを考えることができる。
【００３６】
また、発電手段１１によって発電された電力は、駆動手段１３の動作を制御する為の制御手段１４の電源にもなる。発電手段１１から出ている電源信号供給手段１７を接続部１５に配されている電気的接続部（図示せず）を通して操作手段１６まで延長して接続することにより、操作手段１６の電源供給を行うとともに操作手段１６により選択された信号を制御手段１４に通信し、駆動手段１３を動作させることができる。
【００３７】
このとき、図２で示している「吸引・噴出」側の吸引スイッチ１６ｆを選択した場合、その信号を制御手段１４に送り、制御手段１４からの駆動手段１３を動作させるための制御信号により、図３に示すように切替器１２を噴出室１０側に移動させる。この状態で、吸引・噴出口２が吸引室６と連通された状態となる。そして、接続部１５を介して掃除機本体５０の電動送風機５７から発生している吸引風により吸引・噴出口２からは吸引風が発生することとなり、吸引・噴出口２付近の塵埃を吸引することができるようになる。
【００３８】
この状態において、操作手段１６の「本体」側の「強」スイッチ１６ａ、「中」スイッチ１６ｂまたは「弱」スイッチ１６ｃにより、掃除機本体５０内の電動送風機５７の回転数を変化させることにより、吸引力を替えることができる。吸引力を替えることによりホース５３を通して排出口４を流れる吸引風の風量が変わり、その風量の変化に合わせて吸引・噴出口２の風量も替わることとなり、空気噴出装置１を使用する使用者の掃除を行う状況に合わせて吸引・噴出口２からの吸引風を調整することができるようになる。
【００３９】
次に、操作手段１６の噴出スイッチ１６ｅを選択した場合、図４に示すように切替器１２を、駆動手段１３を動作させることにより吸引室６側に移動させる。吸引・噴出口２からは、切替器１２により風の流れが遮られるため吸引・噴出口２からの吸引風は流れず、噴出ファン９の回転により、第２の空気取込口８から外気を吸引し、吸引・噴出口２から吸引された空気を噴出する。また、噴出する空気の強さは、掃除機本体５０内の電動送風機５７の入力により調整することができる。図４にはその時の噴出風の流れを矢印にて示している。
【００４０】
このように、切替器１２を切替えることにより吸引・噴出口２から吸引を行ったり、空気を噴出することができるようになり、吸引・噴出口２を、掃除を行いたい床面等に近づけ、床面にある塵埃を吸引したり、逆に噴出することで掃除を行うことが可能となる。
【００４１】
このように、空気噴出装置１を使用する場合、空気噴出装置１に外部から電源を供給することなく、空気噴出装置１の吸引・噴出口２からの空気の吸引・噴出の切替を操作手段１６からの操作で自動で行うことができるようになる。
【００４２】
（実施の形態２）
図６（１）〜図６（３）は、本発明の実施の形態２における空気噴出装置の発電手段、蓄電手段、駆動手段の電力供給状況を示すタイミングチャート、図７（ａ）、図７（ｂ）は、同空気噴出装置の発電手段と操作手段、蓄電手段の電力供給状況を示すタイミングチャートである。なお、上記実施の形態１における空気噴出装置と同一部分には同一符号を
付してその説明を省略する。
【００４３】
空気噴出装置１が接続部１５を介してホース５３に接続され、掃除機本体５０の電動送風機５７が動作している間は、吸引ファン５は常に回転している為、吸引ファン５と連動して動作する発電手段１１は常に発電していることになる。この発電された電力は、使用者が操作手段１６を操作していない場合には、制御手段１４と操作手段１６に常時供給され、同時に発電された電力の一部を蓄電手段１８へ蓄電を行うようにする。これにより操作手段１６がいつ操作されても、即時に制御手段１４に信号が入り次の動作への信号を出すことができるようになる。
【００４４】
操作手段１６が操作された時、切替器１２を駆動するための駆動手段１３に電力を供給する必要がある。駆動手段１３がモータの場合、駆動開始時には突入電流が流れるため大きな電力が必要になる。しかし、発電手段１１の発電容量は限度があるためモータのような駆動手段を駆動させるには電力が不足し、正常に動作できない場合が想定される。
【００４５】
そこで、駆動手段１３を駆動させるとき、図６（１）に示すように、蓄電手段１８に蓄電した電力を駆動手段１３に供給することで、安定した駆動を行うことができる。
【００４６】
しかしながら、空気噴出装置１内に配される蓄電手段１８には大きさの制限があるため、あまり大きなものを配することは難しい場合がある。その場合、蓄電手段１８に蓄電された電力で駆動手段１３を十分に駆動させることが困難となる場合も想定することができる。そこで図６（２）に示すように、操作手段１６が操作され駆動手段１３が動作するときには、蓄電手段１８と発電手段１１の両方から駆動手段１３へ電力を供給することにより、駆動手段１３を電力不足になることが無く確実に動作させることができるようになる。
【００４７】
また、駆動手段１３は、駆動開始直後の突入電流が流れる間が一番電力が必要となる。そこで、図６（３）に示すように、駆動手段１３が駆動直後は、蓄電手段１８と発電手段１１の両方から所定時間電力を供給し、所定時間後は蓄電手段１８からの電力供給のみで駆動手段１３を駆動させる。蓄電手段１８に蓄電された電力がなくなることが無い時間を所定時間２とし、所定時間２よりあとは発電手段１１のみの電力を供給する。これにより、蓄電手段１８に蓄電された電力を無駄なく使用することができ、駆動手段１３も途中で電力不足で停止することも無く、安定した動作を行うことができるようになる。
【００４８】
また、制御手段１４によって、切替器１２が所定の位置まで移動したことを、動作時間などから検出し駆動手段１３の動作を終了させた後、発電手段１１によって発電される電力を即時に蓄電手段１８への電力供給に切り替えるように制御を行う。これにより使用者が続けて操作手段１６を操作した場合でも不具合無く動作させることができるようになる。
【００４９】
更には、制御手段１４で蓄電手段１８の充電容量を検出し、充電量が所定の量以下の場合には蓄電する時間を増加して短時間で充電ができるようにするため、図７に示すように操作手段１６への電力供給をパルス点呼にすることによって、操作手段１６に電力供給を行っていない時に蓄電手段１８へ蓄電を行い蓄電量を増加させ、通常の状態で発電手段１１が蓄電手段１８に電力供給している場合よりもより多く電力供給を行うようにする。
【００５０】
これらによって、空気噴出装置１の吸引、噴出量を使用者が操作手段１６で操作を行うだけで噴出機能および吸引機能の切替および噴出する空気量を調整することを容易に行うことができるようになり、外部からの電源を使用することも無く無駄なエネルギーを使用しない省エネに配慮した、非常に使い勝手の良い空気噴出装置１を提供することができる
。
【産業上の利用可能性】
【００５１】
以上のように、本発明にかかる空気噴出装置及びそれを用いた電気掃除機は、吸引・噴出口から空気を吸引し、塵埃があり吸引を行いたいところでは十分な吸引を行い、同時に吸引・噴出口から掃除を行う場所の状況に合わせて空気を噴出する量を使用者が調整し、通常の吸引では掃除しにくい場所を効率よく簡単に掃除することができ、非常に使い勝手が良く掃除を行うことができるもので、極めて有用である。
【符号の説明】
【００５２】
１  空気噴出装置
２  吸引・噴出口
４  排出口
５  吸引ファン
６  吸引室
７  空気取込口
８  第２の空気取込口
９  噴出ファン
１０  噴出室
１１  発電手段
１２  切替器
１３  駆動手段
１４  制御手段
１５  接続部
１６  操作手段
１７  電源信号供給手段（接続手段）
１８  蓄電手段
【図１】
2013223623.tif 000003
【図２】
2013223623.tif 000004
【図３】
2013223623.tif 000005
【図４】
2013223623.tif 000006
【図５】
2013223623.tif 000007
【図６】
2013223623.tif 000008
【図７】
2013223623.tif 000009
【図８】
2013223623.tif 000010
【図９】
2013223623.tif 000011
【図１０】
2013223623.tif 000012